(57)【要約】      （修正有）【課題】長時間作業を続けても足腰に負担がかからず、持ち運びが容易で迅速に作業の中断、再開が可能なぞうり編み板を提供する。【解決手段】長方形の板１を本体とし、本体の複数箇所に設けた引っ掛け具２に芯ロープを這わせ、本体正面の上下中央部に挟み具３，４を施した紐を設け、作業中の芯ロープを必要に応じて一時挟む。本体の長手方向中央部に付したぞうりの寸法の原型６はぞうりを美しく形成し、端に芯ロープの張り方７及び、ぞうり台の編み方８を付す。板の背面両端には長手方向に所要丈の滑り止めを施し、正面に設けた引っ掛け具２の背面補強板の左右両端にも滑り止めを施し、平面上での作業の効率をはかる。上端左右に渡した紐５は首にかけ、背面に設けた滑り止めと共に本体を手前に立てかけたとき、左右に滑るのを防ぎ、背面にぞうり台を使用したスリッパの作り方を付す。【選択図】図１
0003193810.tif 000002
【実用新案登録請求の範囲】
【請求項１】
長方形の板からなり、前記板正面の複数箇所に設けた引っ掛け部、上端部左右２箇所に渡す紐、上端中央部と下端中央部に挟み具を施した紐、前記板の長手方向中央部にぞうりの寸法の原型、前記板の背面両端には長手方向に所要丈の滑り止めを施し、正面に設けた引っ掛け具の背面補強板の左右両端に滑り止めを施したぞうり編み板。
【請求項２】
前記編み板正面の一端に芯ロープの張り方及び他端にぞうり台の編み方の説明を付したことを特徴とする請求項１に記載のぞうり編み板。
【請求項３】
ぞうり編み板において、前記編み板の背面にぞうり台を使用したスリッパの作り方の説明を付したことを特徴とする請求項１及び２に記載のぞうり編み板。
【考案の詳細な説明】
【技術分野】
【０００１】  本考案は、ぞうりを編みやすくする為のぞうり編み板である。
【背景技術】
【０００２】  従来、ぞうりを編む手段として、足にロープを掛けて編むか又は器具を固定して使用していた。
【先行技術文献】
【特許文献】
【０００３】
【特許文献１】  実用新案登録第３１４００８６号公報
【特許文献２】  実用新案登録第３１１４２０１号公報
【考案の概要】
【考案が解決しようとする課題】
【０００４】そのため次のような問題点があった。
特許文献１は、Ｌ字型の製作具を机やテーブルに置いて作業をする道具で、足を投げ出した姿勢をとる必要がなく、足腰に負担がかかることはない。しかし、製作具に掛けた編み布を調節する際に強く手前に引いた場合、製作具が倒れることも予想される。製作具を安定させるためには別に固定器具を用意する必要がある。
特許文献２は、Ｌ字状の長辺部に作業者が座って作業をするための道具であって、足の指を使用しないで作業ができる。しかし、腰に負担がかかり長時間の作業には適さない。
また、従来の方法では、
（１）  同じ姿勢で長時間作業をしていると足の指や腰に負担がかかり、痛みの原因にな      った。
（２）  足にロープを掛けて作業をすると、作業を中断する場合には足からロープを外す      のに手間取り、未完成品の置き場所に注意を払わなければならない。
（３）  固定した器具で作業をした場合、作業中途で場所を移動するのには時間を要した      り、器具の移動に注意を払わなければならない。
本考案は、以上の問題点を改善し、使い勝手を向上させたぞうり編み板を提供する。
【課題を解決するための手段】
【０００５】  本考案は、長時間作業にも足、腰に負担がかからず、作業中途でも未完成のぞうりを作業台から取り外すことなく移動や収納が容易で、本体の板正面にロープの張り方、ぞうり台の編み方、背面には、ぞうり台を使用したスリッパの作り方を付すことで、効率よく作業が進むことを図る。
【考案の効果】
【０００６】  本考案のぞうり編み板は、机や作業台から本体を手前に引き下げて作業をする場合は、背面両端部に縦方向に設けた滑り止めと正面上端部に渡した紐を首に架けることで、板本体が安定し作業が容易である。【０００７】  また、平面上で作業をする場合、正面に設けた引っ掛け具の背面補強板の両端部に設けた滑り止めは、板が前後に滑るのを防ぐ効果がある。【０００８】  本考案のぞうり編み板は机または作業台の上に置いて使用するもので、椅子に腰掛けて作業をする道具であるから足や腰に負担がかからない。また、本体中央部にぞうりの寸法の原型を表示するので、作業中にもぞうりの巾を確認でき容易に形成できる。
【考案を実施するための最良の形態】
【０００９】  以下、本考案の実施の形態を図に基づき説明する。
まず、本考案のぞうり編み板を図１に基づき説明する。
ぞうり編み板（１）の正面は、複数個所の引っ掛け具（２）と２個の挟み具（３）（４）、上端部２箇所を連結する紐（５）、本体中央部にぞうりの寸法の原型（６）を付し、端に芯ロープの張り方（７）、ぞうりの編み方（８）を付す。【００１０】  図２はぞうり編み板（１）の背面であり、長手側の両端に縦長に所要丈の滑り止め（９）を設け、正面に設けた引っ掛け具（２）の背面補強板（１０）を設け、補強板（１０）の左右に滑り止め（１１）を設け、中央部にぞうり台を使用したスリッパの作り方（１２）を付す。【００１１】  図３は、ぞうり編み板の側面図である。【００１２】  図４は、芯ロープを掛ける順番を示す。
芯ロープは約２メートルの長さであり、長さの２分の１の位置に印（Ｇ）を付し、端末は一つに結び（Ｈ）、下端中央部に設けた挟み具（４）に挟む。
印（Ｇ）を上方に上げ一回捻り円を作り印（Ｇ）を下方に下げ、結び目（Ｈ）が円の後方になるようにして印（Ｇ）と重ねて下端中央部に設けた挟み具（４）に挟む。【００１３】  両手を使い、円になったロープを左右に分け、左側ロープは２Ａ，２Ｂの順に掛け、右側ロープは２Ｃ，２Ｄの順に掛ける。【００１４】  下端中央部の挟み具（４）に挟んだ結び目（Ｈ）と円を外し、結び目（Ｈ）を下方に引きながら円の印（Ｇ）を結び目（Ｈ）より７〜８センチ上部に上げ、２Ｄと２Ｂで交差したロープは動かないように上端中央部に設けた挟み具（３）で挟み固定する。【００１５】  編み始めに結び目（Ｈ）が邪魔にならないように挟み具（４）に一時挟んで作業を開始する。【００１６】  印（Ｇ）を付した箇所から編み始め、編み終わりにさしかかったら２Ａ，２Ｃに掛けてあるロープを２Ｅ，２Ｆに掛け替え、ぞうりの巾を狭くしながら形を整えて仕上げる。（図５（Ａ）〜（Ｃ）参照）【００１７】  図６はぞうり台を使用したスリッパの作り方を示す。
スリッパカバー原型（１３）を使用し、表布（１４）と裏布（１５）は縫い代を設け、芯（１６）を内側に挟み、つま先側（１７）、甲側（１８）の縫い代は芯（１６）を囲むように内側に折り、つま先側（１７）、甲側（１８）の端を縫い合わせ、左右両端に脇止め布（１９）を重ね縫いし、ぞうり台正面（２０）の左右両端の定位置に取り付け、脇止め布（１９）をぞうり台背面（２１）に返し、まつり止めし、全体を安定させる。
【図面の簡単な説明】
【００１８】
【図１】  本考案のぞうり編み板の正面図である。
【図２】  本考案のぞうり編み板の背面図である。
【図３】  本考案のぞうり編み板の側面図である。
【図４】  本考案のぞうり編み板の芯ロープの掛け方図である。
【図５】  本考案のぞうり編み板の使用例である。
【図６】  本考案のぞうり編み板のスリッパの作り方図である。
【符号の説明】
【００１９】  １．ぞうり編み板本体
２．引っ掛け具
３．挟み具
４．挟み具
５．紐
６．ぞうりの寸法と原型
７．芯ロープの張り方
８．ぞうり台の編み方
９．滑り止め
１０．引っ掛け具の補助板
１１．滑り止め
１２．ぞうり台を使用したスリッパの作り方
【図１】
0003193810.tif 000003
【図２】
0003193810.tif 000004
【図３】
0003193810.tif 000005
【図４】
0003193810.tif 000006
【図５】
0003193810.tif 000007
【図６】
0003193810.tif 000008